(57)【特許請求の範囲】
【請求項１】
容器本体と、該容器本体の口部に装着される中栓と、該中栓を覆って容器本体の口部に被着される外キャップとを具え、前記容器本体の口部の下部外面におねじが形成され、前記外キャップの内面に前記おねじと螺合するめねじが形成されている液体収納容器において、
前記容器本体の口部が、前記おねじが形成された大径の下半部と、小径の上半部からなり、該下半部と上半部間が上向き傾斜の環状テーパ面に形成され、かつ上半部の外面に係止突起が設けられているとともに、下半部との境界位置となる下部外面に上向き係合突部が円周方向に複数個、所定の間隔で設けられており、
前記中栓は、容器本体の口部の上半部に外側から嵌合可能な径で設けられた内筒と、この内筒のさらに外側に内筒との間に隙間をおいて同心状に設けられた外筒とを有し、
前記内筒は、下端に容器本体の係合突部と中栓の装着時に係合する係合突部が円周方向に複数個、所定の間隔で設けられているとともに、該係合突部より上の内面に容器本体の係止突起と中栓の装着時に係止する係止突起が設けられ、中栓の取外時に中栓を円周方向に回動し中栓の係合突部を容器本体の係合突部に乗り上げさせて中栓を持ち上げることにより前記両係止突起の係止が解放可能になっており、
さらに前記内筒の係止突起が設けられた部位であって、円周方向に隣接する係合突部と係合突部の間にスリットが上下に所定長さで形成されており、
前記外筒は、下端が中栓の装着時に容器本体のテーパ面に接し、外側からの押圧により該テーパ面に沿って上動し、前記両係止突起の係止が解放可能になっていることを特徴とする液体収納容器。
【請求項２】
外キャップの頂壁の下面中央部には筒状キャップボス部が一体に設けられ、前記中栓の頂壁の中心部には抽出口が設けられ、該抽出口の周りには外キャップの装着時に前記筒状キャップボス部と嵌合する筒状漏れ防止部が設けられ、この漏れ防止部は先端側が外向きアール状に湾曲した形状に形成されているとともに、基部側の内周面がボス部の垂直外周面と点接触するように接触する点から基端に向けて徐々に内径が大きくなるように傾斜したテーパ面に形成されている請求項１に記載の液体収納容器。
【請求項３】
外筒の外面にローレットが形成されている請求項２に記載の液体収納容器。
【発明の詳細な説明】
【技術分野】
【０００１】
この発明は、液体収納容器に関し、さらに詳しくは中栓の該容器口部への着脱が容易に行えるとともに、嵌合強度も好適に保ち得る技術に係るものである。
【背景技術】
【０００２】
前記のような液体収納容器として、出願人は先に特開２００１−１５８４５６号公報（特許文献１）を提案した。これは液体収納容器及び該容器用リフィル容器に係るものであるが、液体収納容器に関しては、次のような内容からなるものである。
【０００３】
すなわち、特許文献１の液体収納容器は、容器本体と、該容器本体の口部に装着される中栓と、該中栓を覆って容器本体の口部に被着される外キャップとを具え、前記容器本体の口部の下部外面におねじが形成され、上部外面に係止突起が設けられているとともに、口部の上下部の境界位置に上向き係合突部が円周方向に複数個、所定の間隔をおいて設けられ、前記中栓の内面に前記係止突起と中栓の装着時に係止する係止突起が設けられているとともに、中栓の下端に前記係合突部と中栓の装着時に係合し、中栓の取外時に中栓を円周方向に回動し前記係合突部に乗り上げさせて中栓を持ち上げることにより前記両係止突起の係止を解放する係合突部が設けられ、前記外キャップの内面に前記おねじと螺合するめねじが形成されているものである。そして、この液体収納容器によれば、中栓を円周方向に回動することにより簡単に取り外すことができ、従来に比し、効率よく収納液体の抽出や詰め替えができるという作用効果がある（段落００１２）。
【０００４】
ところで、前記液体収納容器では、中栓を円周方向に回動することにより取り外せるとはいえ、両係止突起の係止を解放するために中栓の係合突部を容器本体の係合突部を乗り上げさせるには回動にそれ相当の力を要し、着脱がなかなか容易でなかった。また、中栓の着脱に際して両係合突部の係合により嵌合する中栓と容器本体の口部との嵌合強度が常に一定で、嵌合強度の自由度か効かないという問題があった。
【先行技術文献】
【特許文献】
【０００５】
【特許文献１】特開２００１−１５８４５６号公報
【発明の概要】
【発明が解決しようとする課題】
【０００６】
そこで、この発明は、前記のような従来の問題点に鑑み、中栓の着脱が容易に行えるとともに、中栓の嵌合強度の自由度も効いて、着脱に際しての中栓と容器本体の口部との嵌合を好適に保ち得る液体収納容器を提供することを目的とする。
【課題を解決するための手段】
【０００７】
前記課題を解決するために、請求項１に記載の発明は、容器本体と、該容器本体の口部に装着される中栓と、該中栓を覆って容器本体の口部に被着される外キャップとを具え、前記容器本体の口部の下部外面におねじが形成され、前記外キャップの内面に前記おねじと螺合するめねじが形成されている液体収納容器において、前記容器本体の口部が、前記おねじが形成された大径の下半部と、小径の上半部からなり、該下半部と上半部間が上向き傾斜の環状テーパ面に形成され、かつ上半部の外面に係止突起が設けられているとともに、下半部との境界位置となる下部外面に上向き係合突部が円周方向に複数個、所定の間隔で設けられており、前記中栓は、容器本体の口部の上半部に外側から嵌合可能な径で設けられた内筒と、この内筒のさらに外側に内筒との間に隙間をおいて同心状に設けられた外筒とを有し、前記内筒は、下端に容器本体の係合突部と中栓の装着時に係合する係合突部が円周方向に複数個、所定の間隔で設けられているとともに、該係合突部より上の内面に容器本体の係止突起と中栓の装着時に係止する係止突起が設けられ、中栓の取外時に中栓を円周方向に回動し中栓の係合突部を容器本体の係合突部に乗り上げさせて中栓を持ち上げることにより前記両係止突起の係止が解放可能になっており、さらに前記内筒の係止突起が設けられた部位であって、円周方向に隣接する係合突部と係合突部の間にスリットが上下に所定長さで形成されており、前記外筒は、下端が中栓の装着時に容器本体のテーパ面に接し、外側からの押圧により該テーパ面に沿って上動し、前記両係止突起の係止が解放可能になっていることを特徴とする。
【０００８】
請求項２に記載の発明は、請求項１において、外キャップの頂壁の下面中央部には筒状キャップボス部が一体に設けられ、前記中栓の頂壁の中心部には抽出口が設けられ、該抽出口の周りには外キャップの装着時に前記筒状キャップボス部と嵌合する筒状漏れ防止部が設けられ、この漏れ防止部は先端側が外向きアール状に湾曲した形状に形成されているとともに、基部側の内周面がボス部の垂直外周面と点接触するように接触する点から基端に向けて徐々に内径が大きくなるように傾斜したテーパ面に形成されていることを特徴とする。
【０００９】
請求項３に記載の発明は、請求項２において、外筒の外面にローレットが形成されていることを特徴とする。
【発明の効果】
【００１０】
この発明は、前記のようであって、請求項１に記載の発明によれば、前記容器本体の口部が、前記おねじが形成された大径の下半部と、小径の上半部からなり、該下半部と上半部間が上向き傾斜の環状テーパ面に形成され、かつ上半部の外面に係止突起が設けられているとともに、下半部との境界位置となる下部外面に上向き係合突部が円周方向に複数個、所定の間隔で設けられており、前記中栓は、容器本体の口部の上半部に外側から嵌合可能な径で設けられた内筒と、この内筒のさらに外側に内筒との間に隙間をおいて同心状に設けられた外筒とを有し、前記内筒は、下端に容器本体の係合突部と中栓の装着時に係合する係合突部が円周方向に複数個、所定の間隔で設けられているとともに、該係合突部より上の内面に容器本体の係止突起と中栓の装着時に係止する係止突起が設けられ、中栓の取外時に中栓を円周方向に回動し中栓の係合突部を容器本体の係合突部に乗り上げさせて中栓を持ち上げることにより前記両係止突起の係止が解放可能になっており、さらに前記内筒の係止突起が設けられた部位であって、円周方向に隣接する係合突部と係合突部の間にスリットが上下に所定長さで形成されており、前記外筒は、下端が中栓の装着時に容器本体のテーパ面に接し、外側からの押圧により該テーパ面に沿って上動し、前記両係止突起の係止が解放可能になっているので、中栓を取り外すとき、中栓を円周方向に回動して中栓の係合突部を容器本体の口部の係合突部を乗り越えさせることにより、中栓の係止突起と容器本体の係止突起の係止を解放することができる。この中栓を円周方向に回動して中栓の係合突部を容器本体の係合突部を乗り上げさせるに際し、スリットによって係合突部が径方向外方へ変位するので、乗り上げが軽い力でもスムーズにいき、従来ほどの力を要することなく、より簡単に両係止突起の係止を解放することができ、中栓の着脱が容易となる。しかも、前記のように中栓を回動しなくとも、中栓の外側から押圧力を与えることにより、中栓の下端をテーパ面に沿って上動させ、引き抜くように持ち上げることにより両係止突起の係止を解放することもできるという効果がある。
【００１１】
請求項２に記載の発明によれば、外キャップの頂壁の下面中央部には筒状キャップボス部が一体に設けられ、前記中栓の頂壁の中心部には抽出口が設けられ、該抽出口の周りには外キャップの装着時に前記筒状キャップボス部と嵌合する筒状漏れ防止部が設けられ、この漏れ防止部は先端側が外向きアール状に湾曲した形状に形成されているとともに、基部側の内周面がボス部の垂直外周面と点接触するように接触する点から基端に向けて徐々に内径が大きくなるように傾斜したテーパ面に形成されているので、ボス部の垂直外周面と漏れ防止部の内周面との接触抵抗を軽減することができ、外キャップを外す際に中栓との離脱が容易となり、従前のように基部側がボス部の垂直外周面と同じ垂直内周面となって面接触し、その接触抵抗により中栓が外キャップへ抱き付いて外れてしまうということがないという効果がある。
【００１２】
請求項３に記載の発明によれば、外筒の外面にローレットが形成されているので、中栓を取り外すときに中栓を掴み易く、滑りを止めてより回動し易いという効果がある。
【図面の簡単な説明】
【００１３】
【図１】この発明の一実施の形態で示す液体収納容器の、中栓を取り外した状態の正面図である。
【図２】同上の平面図である。
【図３】図２のＡ部拡大図である。
【図４】同上の液体収納容器の口部に中栓を取付けた状態の、図２のIV−IV線に沿う拡大部分正断面図である。
【図５】同上の中栓の拡大正断面図である。
【発明を実施するための形態】
【００１４】
以下、図面を参照しながら、この発明の一実施の形態に係る液体収納容器について説明する。
【００１５】
図１ないし３において、１は合成樹脂製からなる液体収納容器で、この液体収納容器１は、内部に化粧液などの液体を収納する容器本体２を具えている。容器本体２の口部３は上半部の厚みが下半部の厚みより薄く形成され、該下半部の外面にはおねじ４が形成されている。上半部中程の外面には係止突起５が環状に形成されている。また、小径の上半部と大径の下半部の境界位置となる上半部の下部外面には係合突部６が複数個、円周方向に所定の間隔をおいて設けられている。これら係合突部６は図１に示すように上向きに略三角形状を呈し、その尖端側の上端が係止突起５の近傍位置となるようになっているとともに、その外面が下半部の外面より外側に突出しない範囲の厚みになっている。また、おねじ４が形成された下半部と係合突部６が形成された上半部との間の外面は上向き傾斜の環状テーパ面７に形成されている。口部３の上半部には中栓１１が装着されている。
【００１６】
中栓１１は、図４，５に示すように下端がやや内向きに窄まるように湾曲して容器本体２の口部３に外側から嵌合可能な径の内筒１２と、この内筒より下端が若干長くなっており、内筒１２との間に隙間をおいてその外側に同心状に設けられた外筒１３を頂壁１４の下面に一体に有している。内筒１２の中程の内面には係止突起５と装着時に係止する係止突起１５が環状に連なるように設けられ、かつ該係止突起の下方の内筒１２の下端には係合突部６と中栓１１の装着時に嵌り合って係合する係合突部１６が設けられている。係合突部１６は図５に示すように下向きに略三角形を呈し、円周方向に複数個、所定の間隔をおいて設けられ、取り外し時に中栓１１を円周方向に回動し係合突部６に乗り上げさせて中栓１１を持ち上げることにより両係止突起５，１５の係止を解放することが可能になっている。
【００１７】
内筒１２の係止突起１５が設けられた部位であって、円周方向に隣接する係合突部１６と係合突部１６の尖端側の下端と反対側の基端間には円周方向に所定幅を有する略方形状のスリット１８が上下に所定長さで形成され、容器本体２側の係合突部６と係合する係合突部１６を径方向に弾力性が富むものにしている。すなわち、スリット１８を設けることによって係合突部１６を径方向に弾性変位可能とし、係合突部６との係合において軽い力でも容易に係合できるようになっているとともに、容器本体２の口部３に対する内筒１２の嵌合強度を適度に保持することができるようになっている。そのため、製品設計において内筒１２の嵌合強度を強めにしたいときは、例えばスリット１８の上下方向の長さを短めにし、逆に弱めにしたいときは、長めにすればよく、このようにスリット１８の切り込み長さをうまく調整することにより内筒１２を適度の嵌合強度に設定することが可能である。
【００１８】
外筒１３は、内筒１２のように下端が内向きに湾曲することなく、ストレートな形状になっているが、中栓１１の装着時にその下端は図４に示すように容器本体２のテーパ面７の下部にその角部が接した状態となっている。そして、外側から押圧されると、中栓１１の下端は内側に撓みながらテーパ面７に沿って上動し、両係止突起５，１５の係止を解放可能になっている。すなわち、テーパ面７は外側からの押圧力を上方への力に変え、中栓１１の係止突起１５を容器本体２の係止突起５から外れ易くする機能をもっている。
【００１９】
頂壁１４の中心部には収納した液体が勢いよく出ないように小さな抽出口２０が設けられている。外筒１３の下半部外面には縦向きで平目状のローレット２１が形成されている。このローレット２１を設けたのは中栓１１を取り外すときに掴み易く、回動方向の滑り止めのためである。２５は外キャップで、内筒２６と、この内筒より下端が若干長くなっており、外側に内筒２６との間に隙間をおいて設けられた外筒２７を頂壁２８の下面に一体に有し、不使用時に中栓１１を覆って口部３に嵌合され、内筒２６の内面に設けためねじ２９が容器本体２の口部３に設けたおねじ４と螺合することにより装着される。頂壁２８の下面中央部には筒状キャップボス部３０が一体に設けられ、該ボス部には中栓１１の抽出口２０の周りにこれと対応して設けた筒状漏れ防止部１７が外キャップ２５の装着時に嵌合するようになっている。漏れ防止部１７は、先端側が外向きにアール状に湾曲した形状に形成されているとともに、基部側の内周面がボス部３０の垂直外周面と点接触するように接触する点から基端に向けて徐々に内径が大きくなるように傾斜したテーパ面１７ａに形成されている。これによってボス部３０の垂直外周面と漏れ防止部１７の内周面との接触抵抗を軽減することができ、外キャップ２５を外す際に中栓１１との離脱が容易となり、従前のように基部側がボス部３０の垂直外周面と同じ垂直内周面となって面接触し、その接触抵抗により中栓１１が外キャップ２５へ抱き付いて外れてしまうということがない。
【００２０】
外キャップ２５の内筒２６の下端には図４に示すように係合凸部３１が円周方向の相対向する位置で設けられており、容器本体２の口部３に装着して、めねじ２９とおねじ４の螺合が終わる段階で該口部のおねじ４より下に設けた係合凹部３２に係合するようになっている。係合凹部３２は、図２，３に詳示するようにめねじ２９とおねじ４の螺合が終わる段階で係合凸部３１が乗り越えて係合可能な小凸部３２ａと、これと円周方向に隣接して配置されて乗り越え不可の大凸部３２ｂとによって形成されている。
【００２１】
前記のような構成の液体収納容器１において、収納した液体を使用するには、外キャップ２５を持って円周方向に回動し、係合凸部３１と係合凹部３２の係合を外したうえ、めねじ２９とおねじ４の螺合を解いて取り外す。そうすると、中栓１１が装着された容器本体２の口部３が現れるので、該中栓の抽出口２０から液体を抽出することができる。使用後、外キャップ２５を容器本体２の口部３に被せ、内筒２６のめねじ２９をおねじ４に螺合し、係合凸部３１を係合凹部３２に係合させる。係合凸部３１と係合凹部３２の係合時、カチッと係合音が発するのでこれにより螺合が終了したことがわかり、外キャップ２５が再び元のように中栓１１を覆って容器本体２の口部３に被着された状態になる。
【００２２】
また、収納した液体がなくなり、詰め替え等のために中栓１１を取り外したいときは、外キャップ２５を外した状態で、中栓１１をローレット２１のある部分に指を当てて円周方向に回動する。この回動により、中栓１１の内筒１２の下端に設けられている係合突部１６が口部３に設けられこれと係合している係合突部６の傾斜面に沿って徐々にこれに乗り上げ、この乗り上げにより中栓１１は持ち上げられ、係止突起１５が係止突起５から外れる。これにより中栓１１は口部３との嵌合が解かれるので、以後は詰め替え用の液体を口部３の上端開口部からいつでも収納できる状態になる。
【００２３】
係合突部６に対する係合突部１６の乗り上げの際、中栓１１の内筒１２にはスリット１８が形成されていることにより係合突部１６が径方向外方へ変位するので、乗り上げが軽い力でもスムーズに行く。そして、詰め替えが終了した後には再び中栓１１を容器本体２の口部３に向けて嵌合すればよく、これにより中栓１１の係合突部１６が口部３の係合突部６と係合突部６の間に嵌まって係合し、この係合により係止突起１５が係止突起５に係止するに至り、装着が終了する。あとは前記のように外キャップ２５を被着すればよい。
【００２４】
また、中栓１１の取り外しに際しては、中栓１１を円周方向に回動する方法だけでなく、別の方法でも可能である。それは中栓１１の下部外面を外側から押圧することである。すなわち、前記と同様にローレット２１のある部分に指、例えば親指と中指で両側から当て、外側から押圧する。この押圧によって、内筒１２との間に隙間をおいて配置された外筒１３の下端が該隙間のある内側に撓みながらテーパ面７に沿って押し上げられ、この押し上げにより係止突起５が係止突起１５から外れて係止解放となる。このように中栓１１を回動ではなく、押圧することでも取り外すこともできる。
【００２５】
なお、この実施の形態で示した液体収納容器１や中栓１１は好ましい一例を示したにすぎず、スリット１８の形状や個数など細部の構成は実施に際して適宜にその設計を変更できることは言うまでもない。
【符号の説明】
【００２６】
１  液体収納容器
２  容器本体
３  口部
４  おねじ
５，１５  係止突起
６，１６  係合突部
１１  中栓
１２  内筒
１３  外筒
１４  頂壁
２０  抽出口
２５  外キャップ
２９  めねじ
３１  係合凸部
３２  係合凹部
【図１】
0006475003.tif 000002
【図２】
0006475003.tif 000003
【図３】
0006475003.tif 000004
【図４】
0006475003.tif 000005
【図５】
0006475003.tif 000006